(57)【特許請求の範囲】
【請求項１】
操作者の操作を検出する複数の検出電極と、
前記複数の検出電極を支持する基板と、
前記複数の検出電極に接続された信号線と、
前記信号線に対応して設けられた基準電極と、
前記基準電極とは別に設けられ、外部からのノイズを遮蔽するための遮蔽電極と、
前記ノイズに起因して前記遮蔽電極に生じた信号を減衰させる減衰手段と、
を備える操作検出装置。
【請求項２】
前記遮蔽電極は、前記基板の外周縁に設けられていることを特徴とする請求項１に記載の操作検出装置。
【請求項３】
前記基板の外周縁の内側から外側に向かって延びるフレキシブル配線基板が更に設けられ、
前記遮蔽電極は、前記フレキシブル配線基板にも設けられていることを特徴とする請求項１又は２に記載の操作検出装置。
【請求項４】
前記フレキシブル配線基板は、前記基板の前記外周縁の外側にて、当該基板の一方の面側に曲げられ、
前記フレキシブル配線基板の曲げが生じている曲げ部は、前記基板の前記外周縁に沿い、
前記フレキシブル配線基板に設けられた前記遮蔽電極は、当該フレキシブル配線基板の前記曲げ部に設けられ且つ当該曲げ部が延びる方向に沿って設けられていることを特徴とする請求項３に記載の操作検出装置。
【請求項５】
前記検出電極、および、前記信号線は、前記基板の両面に設けられ、前記遮蔽電極も、当該基板の両面に設けられていることを特徴とする請求項１乃至４の何れかに記載の操作検出装置。
【請求項６】
前記遮蔽電極は、前記基準電極に接続され、
前記遮蔽電極と前記基準電極との間に、前記減衰手段が設けられていることを特徴とする請求項１に記載の操作検出装置。
【請求項７】
操作者の操作を検出する複数の検出電極と、
前記複数の検出電極を支持する基板と、
前記複数の検出電極に接続された信号線と、
前記信号線に対応して設けられた基準電極と、
前記基準電極とは別に設けられ、外部からのノイズを遮蔽するための遮蔽電極と、
前記基板の一方の面側に設けられた表示パネルと、
前記ノイズに起因して前記遮蔽電極に生じた信号を減衰させる減衰手段と、
を備える表示装置。
【請求項８】
記録材への画像形成を行う画像形成手段と、操作者の操作を検出する操作検出装置とを備え、当該操作検出装置が請求項１乃至６の何れかに記載の操作検出装置により構成された画像形成装置。
【請求項９】
記録材への画像形成を行う画像形成手段と、情報の表示を行う表示装置とを備え、当該表示装置が請求項７に記載の表示装置により構成された画像形成装置。
【発明の詳細な説明】
【技術分野】
【０００１】
本発明は、操作検出装置、表示装置、および、画像形成装置に関する。
【背景技術】
【０００２】
特許文献１には、第１電極及びシールド配線が形成される第１基板と、第２電極が形成される第２基板と、第１電極と第２電極との間の封止される空間に注入される液晶層と、配線を介して第１電極と第２電極に接続される駆動回路とを備えた表示装置が開示されている。
【先行技術文献】
【特許文献】
【０００３】
【特許文献１】特開２００８−７０８７３号公報
【発明の概要】
【発明が解決しようとする課題】
【０００４】
タッチパネルなどの、操作者の操作を検出する装置では、例えば、複数の検出電極を設けるとともに、この検出電極にて得られた信号を、信号線を通じてＩＣ回路などへ送信する。このような装置では、静電気などのノイズに起因して、誤認識や装置の故障が生じることがある。
本発明の目的は、操作者の操作を検出する装置にノイズが作用することにより生じる不具合を低減することにある。
【課題を解決するための手段】
【０００５】
請求項１に記載の発明は、操作者の操作を検出する複数の検出電極と、前記複数の検出電極を支持する基板と、前記複数の検出電極に接続された信号線と、前記信号線に対応して設けられた基準電極と、前記基準電極とは別に設けられ、外部からのノイズを遮蔽するための遮蔽電極と、前記ノイズに起因して前記遮蔽電極に生じた信号を減衰させる減衰手段と、を備える操作検出装置である。
請求項２に記載の発明は、前記遮蔽電極は、前記基板の外周縁に設けられていることを特徴とする請求項１に記載の操作検出装置である。
請求項３に記載の発明は、前記基板の外周縁の内側から外側に向かって延びるフレキシブル配線基板が更に設けられ、前記遮蔽電極は、前記フレキシブル配線基板にも設けられていることを特徴とする請求項１又は２に記載の操作検出装置である。
請求項４に記載の発明は、前記フレキシブル配線基板は、前記基板の前記外周縁の外側にて、当該基板の一方の面側に曲げられ、前記フレキシブル配線基板の曲げが生じている曲げ部は、前記基板の前記外周縁に沿い、前記フレキシブル配線基板に設けられた前記遮蔽電極は、当該フレキシブル配線基板の前記曲げ部に設けられ且つ当該曲げ部が延びる方向に沿って設けられていることを特徴とする請求項３に記載の操作検出装置である。
請求項５に記載の発明は、前記検出電極、および、前記信号線は、前記基板の両面に設けられ、前記遮蔽電極も、当該基板の両面に設けられていることを特徴とする請求項１乃至４の何れかに記載の操作検出装置である。
請求項６に記載の発明は、前記遮蔽電極は、前記基準電極に接続され、前記遮蔽電極と前記基準電極との間に、前記減衰手段が設けられていることを特徴とする請求項１に記載の操作検出装置である。
請求項７に記載の発明は、操作者の操作を検出する複数の検出電極と、前記複数の検出電極を支持する基板と、前記複数の検出電極に接続された信号線と、前記信号線に対応して設けられた基準電極と、前記基準電極とは別に設けられ、外部からのノイズを遮蔽するための遮蔽電極と、前記基板の一方の面側に設けられた表示パネルと、前記ノイズに起因して前記遮蔽電極に生じた信号を減衰させる減衰手段と、を備える表示装置である。
請求項８に記載の発明は、記録材への画像形成を行う画像形成手段と、操作者の操作を検出する操作検出装置とを備え、当該操作検出装置が請求項１乃至６の何れかに記載の操作検出装置により構成された画像形成装置である。
請求項９に記載の発明は、記録材への画像形成を行う画像形成手段と、情報の表示を行う表示装置とを備え、当該表示装置が請求項７に記載の表示装置により構成された画像形成装置である。
【発明の効果】
【０００６】
請求項１の発明によれば、信号線に対応して設けられた基準電極を用いてノイズの遮蔽を行う場合に比べ、操作検出装置にノイズが作用することにより生じる不具合を低減でき、また、基準電極が接続されるフレームＧＮＤが弱い場合やフレームＧＮＤが浮いている場合でも、ノイズに起因して遮蔽電極に生じた信号に起因する不具合を低減できる。
請求項２の発明によれば、基板の外周縁の内側にノイズが影響することを抑制できる。
請求項３の発明によれば、フレキシブル配線基板に遮蔽電極が設けられていない場合に比べ、フレキシブル配線基板を通じて操作検出装置にノイズが作用することを抑制できる。
請求項４の発明によれば、フレキシブル配線基板の曲げ部に遮蔽電極が設けられていない場合に比べ、フレキシブル配線基板の曲げ部を通じて操作検出装置にノイズが作用することを抑制できる。
請求項５の発明によれば、基板の一方の面のみに遮蔽電極が設けられている場合に比べ、操作検出装置にノイズが作用することにより生じる不具合を低減できる。
請求項６の発明によれば、ノイズに起因して遮蔽電極に生じた信号が基準電極を通じて操作検出装置へ影響を与えることを抑制できる。
請求項７の発明によれば、信号線に対応して設けられた基準電極を用いてノイズの遮蔽を行う場合に比べ、表示装置の操作検出機能にノイズが作用することにより生じる不具合を低減でき、また、基準電極が接続されるフレームＧＮＤが弱い場合やフレームＧＮＤが浮いている場合でも、ノイズに起因して遮蔽電極に生じた信号に起因する不具合を低減できる。
請求項８の発明によれば、信号線に対応して設けられた基準電極を用いてノイズの遮蔽を行う場合に比べ、画像形成装置の操作検出機能にノイズが作用することにより生じる不具合を低減でき、また、基準電極が接続されるフレームＧＮＤが弱い場合やフレームＧＮＤが浮いている場合でも、ノイズに起因して遮蔽電極に生じた信号に起因する不具合を低減できる。
請求項９の発明によれば、信号線に対応して設けられた基準電極を用いてノイズの遮蔽を行う場合に比べ、画像形成装置の操作検出機能にノイズが作用することにより生じる不具合を低減でき、また、基準電極が接続されるフレームＧＮＤが弱い場合やフレームＧＮＤが浮いている場合でも、ノイズに起因して遮蔽電極に生じた信号に起因する不具合を低減できる。
【図面の簡単な説明】
【０００７】
【図１】本実施形態に係る画像形成装置を示した図である。
【図２】ＵＩ部の断面構成を示した図である。
【図３】図２の矢印ＩＩＩ方向からＵＩ部を眺めた場合の図である。
【図４】画像形成装置に実装されている状態のＵＩ部を示した図である。
【図５】フレキシブル配線基板の回路構成を説明する図である。
【発明を実施するための形態】
【０００８】
以下、添付図面を参照して、本発明の実施の形態について詳細に説明する。
図１は、本実施形態に係る画像形成装置１を示した図である。
本実施形態の画像形成装置１には、装置本体１０、記録材の一例である用紙を収容する用紙収容部２０が設けられている。また、図示は省略するが、装置本体１０の内部には、用紙への画像形成を行う画像形成手段として機能する画像形成機構が設けられている。
画像形成機構は、感光体ドラムを有し、いわゆる電子写真方式を用い、用紙への画像形成を行う。なお、画像の形成方式は、電子写真方式に限らず、インクジェット方式など、他の方式を用いてもよい。
【０００９】
装置本体１０の上部には、画像が形成された用紙が排出される用紙排出部３０が設けられている。また、装置本体１０の上部には、ユーザインタフェース部１００（以下、「ＵＩ部１００」と称する）が設けられている。このＵＩ部１００は、情報の表示を行い、また、操作者の操作を受け付ける。
【００１０】
図２は、ＵＩ部１００の断面構成を示した図である。
本実施形態のＵＩ部１００には、操作者による操作を受け付けるタッチパネル１１０が設けられている。また、ＵＩ部１００には、液晶ディスプレイにより構成され、情報の表示を行う表示パネル１５０が設けられている。
表示パネル１５０は、タッチパネル１１０の下方に配置されている。言い換えると、表示パネル１５０は、タッチパネル１１０の一方の面側に設けられている。
【００１１】
ここで、タッチパネル１１０は、操作者の操作を検出する操作検出装置として捉えることができる。また、タッチパネル１１０および表示パネル１５０により構成されたＵＩ部１００は、情報の表示を行う表示装置として捉えることができる。
【００１２】
タッチパネル１１０は、静電容量方式のタッチパネルであり、操作者の指先と検出電極１１１（導電膜）との間での静電容量の変化を捉えて、操作者が操作した位置を検出する。
本実施形態のタッチパネル１１０には、図２に示すように、操作者の操作を検出するための複数の検出電極１１１が設けられている。付言すると、タッチパネル１１０には、導電体が近づいたことを検出するための複数の検出電極１１１が設けられている。
【００１３】
さらに、タッチパネル１１０には、複数の検出電極１１１を支持する基板１１２が設けられている。本実施形態では、基板１１２の両面に、検出電極１１１が設けられている。
ここで、基板１１２の第１面１１２Ａ側（表示パネル１５０の設置側とは反対側）に設けられた検出電極１１１（以下、「表面側検出電極１１１Ａ」と称する）は、Ｙ方向（図２の紙面と直交する方向）における、操作者の操作位置を検出する検出電極である。この表面側検出電極１１１Ａは、Ｘ方向（図中、左右方向）に沿うように設けられるとともに、Ｙ方向に並べられている。
【００１４】
基板１１２の第２面１１２Ｂ側（表示パネル１５０の設置側）に設けられた検出電極１１１（以下、「裏面側検出電極１１１Ｂ」と称する）は、Ｘ方向（図中、左右方向）における、操作者の操作位置を検出する検出電極である。
裏面側検出電極１１１Ｂは、Ｙ方向（図２の紙面と直交する方向）に沿うように設けられるとともに、Ｘ方向に並べられている。
【００１５】
基板１１２の外周縁には、ＵＩ部１００の外部からＵＩ部１００の内部に侵入する、静電気などのノイズを遮蔽するための遮蔽電極１１９が設けられている。
また、本実施形態では、基板１１２の第１面１１２Ａ側に、基板１１２のこの第１面１１２Ａ側を覆うガラス１１４が設けられている。さらに、基板１１２の第２面１１２Ｂ側には、基板１１２などを支持する支持部材１１５が設けられている。
なお、本実施形態では、基板１１２を設け、この基板１１２に、表面側検出電極１１１Ａ、裏面側検出電極１１１Ｂを設けた場合を一例に説明したが、基板１１２を設けない態様も考えられる。具体的には、例えば、表面側検出電極１１１Ａを形成したガラス１１４と、裏面側検出電極１１１Ｂを形成した支持部材１１５とを接着剤（接着剤層）を用いて貼り合わせる態様も考えられる。なお、この場合は、接着剤層の一方の面側に、表面側検出電極１１１Ａ、遮蔽電極１１９が設けられる。また、この一方の面側に、後述する表面側信号線１１８Ａが設けられる。また、接着剤層の他方の面側に、裏面側検出電極１１１Ｂ、遮蔽電極１１９が設けられる。また、この他方の面側に、後述する裏面側信号線１１８Ｂが設けられる。
【００１６】
図３は、図２の矢印ＩＩＩ方向からＵＩ部１００を眺めた場合の図である。なお、この図３では、図２にて示したガラス１１４の図示を省略している。
基板１１２には、上記のとおり、表面側検出電極１１１Ａ、裏面側検出電極１１１Ｂが設けられている。
さらに、基板１１２には、表面側検出電極１１１Ａ、裏面側検出電極１１１Ｂに電気的に接続し、検出信号を、ＩＣ（Integrated Circuit）（制御回路）（後述）に伝達する信号線１１８Ａ，１１８Ｂが設けられている。
【００１７】
信号線１１８Ａ，１１８Ｂは、基板１１２に設けられた表面側検出電極１１１Ａ、裏面側検出電極１１１Ｂに対応するように設けられている。
信号線１１８Ａ（以下、「表面側信号線１１８Ａ」と称する）は、基板１１２の第１面１１２Ａ（図２参照）側に設けられた表面側検出電極１１１Ａに対応して設けられたものであり、基板１１２の第１面１１２Ａ側に設けられている。
信号線１１８Ｂ（以下、「裏面側信号線１１８Ｂ」と称する）は、基板１１２の第２面１１２Ｂ（図２参照）に設けられた裏面側検出電極１１１Ｂに対応したものであり、基板１１２の第２面１１２Ｂ側に設けられている。
【００１８】
さらに、本実施形態では、図３に示すように、基板１１２の第１面１１２Ａ側に、表面側遮蔽電極１１９Ａが設けられている。さらに、基板１１２の第２面１１２Ｂ側に、裏面側遮蔽電極１１９Ｂが設けられている。
この表面側遮蔽電極１１９Ａ、裏面側遮蔽電極１１９Ｂは、ＵＩ部１００の外部からＵＩ部１００に侵入するノイズを遮蔽する。
【００１９】
表面側遮蔽電極１１９Ａは、表面側検出電極１１１Ａ、表面側信号線１１８Ａが設けられている領域の外側の領域に設けられている。
また、表面側遮蔽電極１１９Ａは、基板１１２の外周縁１１２Ｃに位置し、且つ、この外周縁１１２Ｃに沿うように設けられている。
さらに、表面側遮蔽電極１１９Ａは、略環状に配置され、環状に配置されたこの表面側遮蔽電極１１９Ａの内側に、表面側検出電極１１１Ａ、表面側信号線１１８Ａが設けられている。
【００２０】
また、表面側遮蔽電極１１９Ａは、表面側検出電極１１１Ａが設けられている矩形状の領域の外側に配置されている。また、表面側信号線１１８Ａは、表面側検出電極１１１Ａが設けられている矩形状の領域の外側に、且つ、表面側遮蔽電極１１９Ａよりも内側の領域に設けられている。
この構成により、基板１１２の外周縁１１２Ｃの外側から、表面側検出電極１１１Ａや表面側信号線１１８Ａへ達しようとするノイズは、この表面側検出電極１１１Ａや表面側信号線１１８Ａへ達する前に、表面側遮蔽電極１１９Ａにより遮蔽される。
【００２１】
同様に、裏面側遮蔽電極１１９Ｂは、裏面側検出電極１１１Ｂ、裏面側信号線１１８Ｂが設けられている領域の外側の領域に設けられている。また、裏面側遮蔽電極１１９Ｂは、基板１１２の外周縁１１２Ｃに沿うように設けられている。
さらに、裏面側遮蔽電極１１９Ｂは、略環状に配置され、環状に配置されたこの裏面側遮蔽電極１１９Ｂの内側に、裏面側検出電極１１１Ｂ、裏面側信号線１１８Ｂが設けられている。
【００２２】
また、表面側信号線１１８Ａと同様、裏面側信号線１１８Ｂは、裏面側検出電極１１１Ｂが設けられている矩形状の領域の外側に配置されている。また、裏面側信号線１１８Ｂは、裏面側検出電極１１１Ｂが設けられている矩形状の領域の外側に、且つ、裏面側遮蔽電極１１９Ｂよりも内側の領域に設けられている。
これにより、表面側と同様、基板１１２の外周縁１１２Ｃの外側から、裏面側検出電極１１１Ｂや裏面側信号線１１８Ｂへ達しようとするノイズは、この裏面側検出電極１１１Ｂや裏面側信号線１１８Ｂへ達する前に、裏面側遮蔽電極１１９Ｂにより遮蔽される。
【００２３】
さらに、本実施形態では、表面側信号線１１８Ａに対応して設けられた表面側基準電極（表面側信号用ＧＮＤ）１２０Ａ、裏面側信号線１１８Ｂに対応して設けられた裏面側基準電極（裏面側信号用ＧＮＤ）１２０Ｂが設けられている。
【００２４】
ここで、基板１１２は、例えば、ガラス基板やプラスチック基板により形成される。
また、表面側検出電極１１１Ａ、裏面側検出電極１１１Ｂは、例えば、ＩＴＯ（インジウム・スズ酸化物）、スズ酸化物、亜鉛酸化物、導電性ポリマー等を堆積した透明導電膜により形成される。
また、表面側信号線１１８Ａ、裏面側信号線１１８Ｂは、例えば、透明導電膜や金属膜により形成される。
【００２５】
また、表面側検出電極１１１Ａ、裏面側検出電極１１１Ｂは、例えば、基板１１２の表面に対してスパッタリング法や蒸着法により金属膜を堆積することにより形成される。
なお、粘着材や接着材を裏面に有し、表面に金属膜を有した導電性シールを、基板１１２に貼り付けて、表面側検出電極１１１Ａや、裏面側検出電極１１１Ｂを形成してもよい。
【００２６】
なお、本実施形態では、基板１１２の外周縁１１２Ｃに、表面側遮蔽電極１１９Ａ、裏面側遮蔽電極１１９Ｂを設けているが、表面側遮蔽電極１１９Ａ、裏面側遮蔽電極１１９Ｂは、外周縁１１２Ｃの全周に亘って設けることは必須ではなく、外周縁１１２Ｃの一部に設けてもよい。
本実施形態では、表面側遮蔽電極１１９Ａ、裏面側遮蔽電極１１９Ｂは、外周縁１１２Ｃの全周に設けられておらず、図３の符号３Ａで示す箇所では、表面側遮蔽電極１１９Ａ、裏面側遮蔽電極１１９Ｂは設けられていない。
【００２７】
図４は、画像形成装置１に実装されている状態のＵＩ部１００を示した図である。
なお、この図４では、図２、図３にて示したガラス１１４、表面側検出電極１１１Ａ、裏面側検出電極１１１Ｂ、裏面側信号線１１８Ｂ、裏面側遮蔽電極１１９Ｂの図示を省略している。
【００２８】
本実施形態では、図１〜３にて説明した構成の他、図４に示すように、基板１１２の外周縁１１２Ｃの内側から外側に向かって延びるフレキシブル配線基板１３０が設けられている。フレキシブル配線基板１３０は、基板１１２の外周縁１１２Ｃの外側にて、基板１１２の一方の面側（裏面側）側に曲げられている。この曲げにより、フレキシブル配線基板１３０には、曲げ部１３０Ａが設けられる。この曲げ部１３０Ａは、基板１１２の外周縁１１２Ｃに沿っている。
【００２９】
フレキシブル配線基板１３０には、ＩＣ（Integrated Circuit）（制御回路）１４０が取り付けられている。また、フレキシブル配線基板１３０の端部（図中、下端部）には、画像形成装置１の本体側に接続されるコネクタ１７０が設けられている。
【００３０】
また、本実施形態では、表面側検出電極１１１Ａ（図３参照）に接続された表面側信号線１１８Ａが、フレキシブル配線基板１３０の内部を通ってＩＣ１４０に向かい、ＩＣ１４０に接続される。
また、図示は省略するが、裏面側信号線１１８Ｂも、フレキシブル配線基板１３０の内部を通ってＩＣ１４０に向かい、ＩＣ１４０に接続される。
【００３１】
さらに、本実施形態では、表面側遮蔽電極１１９Ａが、フレキシブル配線基板１３０にも設けられている。また、図示は省略するが、裏面側遮蔽電極１１９Ｂも、フレキシブル配線基板１３０に設けられている。付言すると、フレキシブル配線基板１３０には、配線が存在するが、この配線が、表面側遮蔽電極１１９Ａ、裏面側遮蔽電極１１９Ｂとして機能している。
【００３２】
図４に示すように、表面側遮蔽電極１１９Ａは、フレキシブル配線基板１３０の幅方向における両端部に設けられている。より具体的には、表面側遮蔽電極１１９Ａは、フレキシブル配線基板１３０の長手方向に沿った一方の側辺１３１、および、他方の側辺１３２のそれぞれに設けられ、また、この一方の側辺１３１、他方の側辺１３２に沿うように設けられている。
さらに、本実施形態では、フレキシブル配線基板１３０の両側辺１３１，１３２に設けられた２本の表面側遮蔽電極１１９Ａを接続する遮蔽電極１６０（以下、「接続遮蔽電極１６０」と称する）が設けられている。
【００３３】
接続遮蔽電極１６０は、フレキシブル配線基板１３０の曲げ部１３０Ａに設けられ、また、曲げ部１３０Ａが延びる方向に沿って設けられている。
また、接続遮蔽電極１６０は、フレキシブル配線基板１３０内に設けられた、表面側信号線１１８Ａ、裏面側信号線１１８Ｂ（図４では不図示）よりもフレキシブル配線基板１３０の表面側に位置している。
【００３４】
これにより、本実施形態では、フレキシブル配線基板１３０の曲げ部１３０Ａに対し、静電気などのノイズが作用したとしても、このノイズは、接続遮蔽電極１６０により遮蔽され、表面側信号線１１８Ａ、裏面側信号線１１８Ｂへノイズが達しにくくなる。
【００３５】
本実施形態では、フレキシブル配線基板１３０のうちのコネクタ１７０が設けられている箇所は、ＵＩ部１００の内部に位置し、ノイズの影響を受けにくくなっている。
その一方で、曲げ部１３０Ａの部分は、ＵＩ部１００の表面に近い箇所に位置し、ノイズの影響を受けやすくなっている。本実施形態では、このノイズの影響を受けやすい箇所に、接続遮蔽電極１６０を設けている。
【００３６】
図５は、フレキシブル配線基板１３０の回路構成を説明する図である。
本実施形態では、上記のとおり、フレキシブル配線基板１３０にＩＣ１４０が設けられている。さらに、このＩＣ１４０から図中上方に向かって延びる表面側信号線１１８Ａ、裏面側信号線１１８Ｂが設けられている。
【００３７】
さらに、表面側信号線１１８Ａ、裏面側信号線１１８Ｂの先には、基板１１２（図４参照）に対して固定される被固定部１９０が設けられている。
さらに、図中上方の符号５Ａ、図中下方の符号５Ｂで示すように、表面側遮蔽電極１１９Ａ、裏面側遮蔽電極１１９Ｂが設けられている。なお、図中上方の表面側遮蔽電極１１９Ａ、裏面側遮蔽電極１１９Ｂと、図中下方の表面側遮蔽電極１１９Ａ、裏面側遮蔽電極１１９Ｂとは、図中符号５Ｘ、５Ｙで示す「ＥＳＤ＿ＧＮＤ」を介して接続されている。
【００３８】
ここで、本実施形態では、表面側遮蔽電極１１９Ａ、裏面側遮蔽電極１１９Ｂが、ＩＣ１４０に対して直接接続されない構造となっている。
このため、本実施形態では、ノイズに起因して、表面側遮蔽電極１１９Ａ、裏面側遮蔽電極１１９Ｂに生じた信号が、ＩＣ１４０に直接入ることが抑制され、ＩＣ１４０の破損や誤作動が生じにくくなる。
【００３９】
さらに、本実施形態では、符号５Ｃで示すように、表面側遮蔽電極１１９Ａ、裏面側遮蔽電極１１９Ｂが、表面側基準電極１２０Ａ、裏面側基準電極１２０Ｂに接続された構成となっているが、表面側遮蔽電極１１９Ａ、裏面側遮蔽電極１１９Ｂと、表面側基準電極１２０Ａ、裏面側基準電極１２０Ｂとの間には、減衰手段２５０が設けられている。
この減衰手段２５０は、ノイズに起因して、表面側遮蔽電極１１９Ａ、裏面側遮蔽電極１１９Ｂに生じた信号を減衰させる。
【００４０】
これにより、本実施形態では、ノイズに起因して、表面側遮蔽電極１１９Ａ、裏面側遮蔽電極１１９Ｂに生じた信号が、強度を維持した状態で、表面側基準電極１２０Ａ、裏面側基準電極１２０Ｂに達することが抑制される。
これにより、表面側遮蔽電極１１９Ａ、裏面側遮蔽電極１１９Ｂにて生じた信号が、強度を維持した状態で、ＩＣ１４０に入力されることが抑制される。
【００４１】
付言すると、表面側基準電極１２０Ａ、裏面側基準電極１２０Ｂは、ＩＣ１４０に接続されており、表面側遮蔽電極１１９Ａ、裏面側遮蔽電極１１９Ｂにて生じた信号は、表面側基準電極１２０Ａ、裏面側基準電極１２０Ｂを経由して、ＩＣ１４０に達する。
本実施形態では、ＩＣ１４０に信号が向かう経路の途中に減衰手段２５０が設けられており、これにより、表面側遮蔽電極１１９Ａ、裏面側遮蔽電極１１９Ｂにて生じた信号が、強度を維持した状態で、ＩＣ１４０に入力されることが抑制される。
なお、本実施形態の減衰手段２５０は、コイルやコンデンサにより構成されるが、これに限らず、信号の特性に応じ、他の構成を用いてもよい。
【００４２】
ここで、表面側検出電極１１１Ａ（図３参照）や裏面側検出電極１１１Ｂに作用しようとするノイズの遮蔽は、例えば、図３にて示す、表面側基準電極１２０Ａ、裏面側基準電極１２０Ｂを、基板１１２の外周縁１１２Ｃまで延ばすことでも行える（基板１１２の外周縁１１２Ｃに沿わせて環状に設けることでも行える）。
【００４３】
しかしながら、この場合、表面側基準電極１２０Ａ、裏面側基準電極１２０Ｂは、ＩＣ１４０（図４参照）につながっているために、表面側基準電極１２０Ａ、裏面側基準電極１２０Ｂにノイズが作用する構成であると、ノイズに起因して生じた信号が、ＩＣ１４０に直接作用し、ＩＣ１４０が故障したり、誤動作が生じたりするおそれがある。
【００４４】
これに対し、本実施形態では、表面側検出電極１１１Ａ、裏面側検出電極１１１Ｂに作用しようとするノイズは、表面側基準電極１２０Ａ、裏面側基準電極１２０Ｂとは別に設けられた、表面側遮蔽電極１１９Ａ、裏面側遮蔽電極１１９Ｂにより遮蔽される。これにより、本実施形態では、ＩＣ１４０の故障や、誤動作が抑制される。
【００４５】
さらに、本実施形態では、図４に示すように、ＩＣ１４０から図中上方に向かって延びる、表面側基準電極１２０Ａ、裏面側基準電極１２０Ｂは、フレキシブル配線基板１３０の曲げ部１３０Ａまで達しておらず、曲げ部１３０Ａよりも手前側に、表面側基準電極１２０Ａ、裏面側基準電極１２０Ｂは位置している。
【００４６】
付言すると、本実施形態では、接続遮蔽電極１６０よりも手前側（ＩＣ１４０側）に、表面側基準電極１２０Ａ、裏面側基準電極１２０Ｂの端部が位置している。さらに説明すると、本実施形態では、基板１１２の外周縁１１２Ｃの内側へ、表面側基準電極１２０Ａ、裏面側基準電極１２０Ｂが達しない構成となっている。
この構成によっても、ノイズが、表面側基準電極１２０Ａ、裏面側基準電極１２０Ｂに作用しにくくなり、ＩＣ１４０の故障や、誤動作がさらに生じにくくなる。
【００４７】
さらに、本実施形態の構成では、減衰手段２５０が設けられているため、フレームＧＮＤが弱いもしくはフレームＧＮＤが浮いている機器においてもノイズに起因する上記不具合の発生を抑制しうる。
本実施形態の構成では、フレキシブル配線基板１３０（図４参照）に設けられたコネクタ１７０を画像形成装置１（図１参照）の本体側に繋ぎ、ＵＩ部１００側の基準電極（表面側基準電極１２０Ａ、裏面側基準電極１２０Ｂ）を、画像形成装置１に設けられたフレームＧＮＤに繋ぐ。
【００４８】
ここで、上記の減衰手段２５０が設けられていなくても、フレームＧＮＤがしっかりと確保されている場合には、ノイズに起因して生じた信号をこのフレームＧＮＤに逃がすこができ、減衰手段２５０が無くても、ＩＣ１４０の誤動作等の抑制を図れる。
しかしながら、フレームＧＮＤが弱い場合には、信号がフレームＧＮＤに逃げにくく、ＩＣ１４０の故障や誤動作を招きやすい。また、スマートフォンなどの機器では、フレームＧＮＤが浮いている場合があり、この場合も、同様に、ＩＣ１４０の故障や誤動作を招きやすい。
【００４９】
これに対し、本実施形態の構成では、減衰手段２５０（図５参照）が設けられているため、フレームＧＮＤが弱く、あるいは、フレームＧＮＤが浮いている場合であっても、ＩＣ１４０の故障や誤動作が抑制される。
付言すると、フレームＧＮＤが弱く、あるいは、フレームＧＮＤが浮いている場合、表面側遮蔽電極１１９Ａ、裏面側遮蔽電極１１９Ｂにて生じ、表面側基準電極１２０Ａ、裏面側基準電極１２０Ｂへ向かう信号の逃げ場が無くなる。かかる場合、この信号がＩＣ１４０に向かいやすくなる。
しかしながら、本実施形態では、減衰手段２５０にてその強度が弱められた信号が、ＩＣ１４０に向かうようになり、ＩＣ１４０の故障や誤動作が抑制される。
【符号の説明】
【００５０】
１…画像形成装置、１００…ＵＩ部、１１０…タッチパネル、１１１Ａ…表面側検出電極、１１１Ｂ…裏面側検出電極、１１２…基板、１１２Ｃ…外周縁、１１８Ａ…表面側信号線、１１８Ｂ…裏面側信号線、１１９Ａ…表面側遮蔽電極、１１９Ｂ…裏面側遮蔽電極、１２０Ａ…表面側基準電極、１２０Ｂ…裏面側基準電極、１３０…フレキシブル配線基板、１３０Ａ…曲げ部、１５０…表示パネル、２５０…減衰手段
【図１】
0006544139.tif 000002
【図２】
0006544139.tif 000003
【図３】
0006544139.tif 000004
【図４】
0006544139.tif 000005
【図５】
0006544139.tif 000006